(57)【要約】      （修正有）【課題】任意の変倍率で変倍を行うことができるカラー画像の複写装置を提供すること。【解決手段】スキャナ部、変倍処理部、プリンタ部およびコンピュータと接続する為のインターフェース部からなるカラー画像処理装置。オペレーションパネルから指示された変倍率が５０〜２００％の範囲を超えたかどうかを判断し、超えない場合には、変倍処理部で変倍処理を行い、超えたときには、コンピュータ側でソフトにより任意倍率の変倍処理を行う。【選択図】        図１
2004289232.tif 000002
【特許請求の範囲】
【請求項１】
スキャナ部と変倍処理部とプリンタ部およびコンピュータと接続する為のインターフェース部から成り、変倍処理部で処理可能な倍率範囲での複写動作を行う時は、スキャナ部から出力された画像データを変倍処理部で変倍した後プリンタ部に出力し、変倍処理部で処理可能な倍率範囲外の複写動作を行う時は、スキャナ部から出力された画像データをインターフェース部を介してコンピュータへ送り、コンピュータ側で変倍処理を行ってから再びインターフェース部を介してデータを受け取りプリンタ部で出力を行うことを特徴とするカラー画像処理装置。
【発明の詳細な説明】
【０００１】
【発明の属する技術分野】
原稿をカラーで読み取ってカラーでプリント出力するカラー画像処理装置に関する。
【０００２】
【従来の技術】
図８は従来のカラー画像処理装置の例であり、本図を用いて動作の説明を行う。１０１は、原稿を走査してＲＧＢのアナログ信号を出力するＣＣＤ等の画像撮像素子、１０２は、画像撮像素子１０１から出力されるアナログ信号をディジタル信号に変換するＡ／Ｄ変換器、１０４は、Ａ／Ｄ変換器１０２から出力された画像データを変倍処理する変倍処理部、８０１は、変倍処理部１０４から出力された画像データを輝度濃度変換処理する輝度濃度変換処理部、１０３は、輝度濃度変換処理部８０１から出力された画像データにマスキング処理を施すマスキング処理部、８０２は、マスキング処理部１０３から出力された画像信号に濃度補正処理を施す濃度補正処理部、１０６は、濃度補正処理部８０２から出力された画像データをプリント出力するインクジェットプリンタ、１０７は、本カラー画像処理装置の各部の制御を行うＣＰＵ、１０８は、ＣＰＵ１０７に接続され、ワークエリアとして使用されるＲＡＭ、１０９は、ＣＰＵ１０７に接続され、ＣＰＵ１０７で実行される命令コードを格納するＲＯＭである。
【０００３】
図９は、本カラー画像処理装置によるカラー複写動作の手順を示すフローチャートであり、本図を用いて動作を説明する。
【０００４】
まず画像撮像素子１０１で原稿を走査してアナログ信号を出力する（ステップＳ９０１）。次にＡ／Ｄ変換器１０２でＡ／Ｄ変換処理を行いアナログ信号をディジタル信号に変換する（ステップＳ９０２）。
【０００５】
次に変倍処理を行う。不図示のオペレーションパネルより指示された変倍率に従って線形補間法により処理を行う。
【０００６】
図５は、線形補間法に於ける変換前の画素と変換後の画素との関係を示す。図中、画素Ｖ、画素Ｗ、画素Ｘ、画素Ｙは変換前の画素を表す。また、各画素の輝度レベルをそれぞれｖ、ｗ、ｘ、ｙとする。
【０００７】
変換後の画素を画素Ｐとし、画素Ｐと変換前の画素との位置関係は、主走査方向（図の左右方向）に画素ＶからＬａ、画素ＷからＬｂの位置にあり、副走査方向（図の上下方向）には、画素ＶからＫａ、画素ＸからＫｂの位置にあるとする。従って図５に於ける画素Ｐの輝度レベルｐは、
【外１】
2004289232.tif 000003
【０００８】
となる。本変倍処理部で変倍処理が可能な変倍範囲はハードウェア構成上５０〜２００％の制限がある。
【０００９】
変倍処理された画像データはＲＧＢの輝度信号からＣＭＹの濃度信号への変換を行う（ステップＳ９０４）。輝度濃度変換は色毎にテーブル参照により行われる。図６にテーブルに格納される特性の例を示す。横軸は輝度レベルの入力で、縦軸は濃度レベルの出力である。
【００１０】
次に画像撮像素子の特性の色空間の画像データをマスキング処理によりインクジェットプリンタの特性の色空間に変換する（ステップＳ９０５）。
【００１１】
マスキング処理の演算の方法は、ＣＭＹを入力画像値とし、Ｃ′Ｍ′Ｙ′を出力画像値とした場合、次式、すなわち、
【外２】
2004289232.tif 000004
【００１２】
により行われる。
【００１３】
さらにインクジェットプリンタ１０６の特性に合わせる為、ＣＭＹの各色毎にテーブル参照により濃度補正処理を行う（ステップＳ９０６）。図７にテーブルに格納される特性の例を示す。横軸は入力レベルで縦軸が出力レベルである。
【００１４】
次にＣＭＹの多値信号をインクジェットプリンタ１０６から出力するために誤差拡散法により２値信号に変換する（ステップＳ９０７）。
【００１５】
最後に２値化したＣＭＹの信号をインクジェットプリンタ１０６から出力して（ステップＳ９０８）本カラー画像処理装置によるカラー複写動作を終了する。
【００１６】
【発明が解決しようとする課題】
しかしながら従来の例では変倍処理部の処理能力上、５０〜２００％の変倍範囲の処理しか出来ない欠点があった。
【００１７】
【課題を解決するための手段】
コンピュータと接続することによりコンピュータ側で任意倍率の変倍処理を行うことが可能となる。
【００１８】
【発明の実施の形態】
図１は本発明を実施したカラー画像処理装置の例であり、本図を用いて動作の説明を行う。１０１は、原稿を走査してＲＧＢのアナログ信号を出力するＣＣＤ等の画像撮像素子、１０２は、画像撮像素子１０１から出力されるアナログ信号をディジタル信号に変換するＡ／Ｄ変換器、１０３は、Ａ／Ｄ変換器１０２から出力されるディジタル信号にマスキング処理を施すマスキング処理部、１０４は、マスキング処理部１０３から出力された画像データに変倍処理を施す変倍処理部、１０５は、変倍処理部１０４から出力される画像データを格納する画像メモリ、１０６は、画像メモリ１０５から読み出された画像データをプリント出力するインクジェットプリンタ、１０７は、本カラー画像処理装置の各部の制御を行うＣＰＵ、１０８は、ＣＰＵ１０７に接続され、ワークエリアとして使用されるＲＡＭ、１０９は、ＣＰＵ１０７に接続され、ＣＰＵ１０７で実行される命令コードを格納するＲＯＭ、１１０は、本カラー画像処理装置とコンピュータ等を接続する為のインターフェース部である。
【００１９】
動作モードは複写動作、スキャナ動作、プリンタ動作の３種類の動作があり、複写動作は、本装置の持つスキャナ部からプリンタ部へ直接、画像データを入力し複写動作するモードであり、スキャナ動作は、本装置のスキャナ部からコンピュータへ画像データを出力し、コンピュータ側のハードディスク等へＲＧＢの画像データを転送するモードであり、プリンタ動作は、コンピュータのハードディスク等に格納されたＲＧＢの画像データを本装置に出力しインクジェットプリンタによりプリント出力するモードである。
【００２０】
以下、順にフローチャートを用いてそれぞれの動作を説明する。
【００２１】
カラー複写動作について説明する。
【００２２】
図２は、カラー複写動作の手順を示すフローチャートである。
【００２３】
まず不図示のオペレーションパネルより設定された変倍率が５０〜２００％の範囲に収まっているか判断する（ステップＳ２００）。
【００２４】
収まっている場合は次の様に処理が行われる。
【００２５】
画像撮像素子１０１で原稿を走査してアナログ信号を出力する（ステップＳ２０１）。
【００２６】
次にＡ／Ｄ変換器１０２でＡ／Ｄ変換処理を行いアナログ信号をディジタル信号に変換する（ステップＳ２０２）。スキャナ部のマスキング処理部に於いて画像撮像素子の特性の色空間の画像データをマスキング処理によりＮＴＳＣのＲＧＢの標準色空間に変換する（ステップＳ２０３）。
【００２７】
マスキング処理の演算の方法は、ＲＧＢを入力画像値とし、Ｒ′Ｇ′Ｂ′を出力画像値とした場合、次式、すなわち
【外３】
2004289232.tif 000005
【００２８】
により行われる。
【００２９】
次に変倍処理を行う。不図示のオペレーションパネルより指示された変倍率に従って線形補間法により処理を行う。
【００３０】
図５は、線形補間法に於ける変換前の画素と変換後の画素との関係を示す。図中、画素Ｖ、画素Ｗ、画素Ｘ、画素Ｙは変換前の画素を表す。また、各画素の輝度レベルをそれぞれｖ、ｗ、ｘ、ｙとする。
【００３１】
変換後の画素を画素Ｐとし、画素Ｐと変換前の画素との位置関係は、主走査方向（図の左右方向）に画素ＶからＬａ、画素ＷからＬｂの位置にあり、副走査方向（図の上下方向）には、画素ＶからＫａ、画素ＸからＫｂの位置にあるとする。従って図５に於ける画素Ｐの輝度レベルｐは、従来例で示した式１と同様である。
【００３２】
変倍処理された画像データはＲＧＢの輝度信号からＣＭＹの濃度信号への変換を行う（ステップＳ２０５）。輝度濃度変換は色毎にテーブル参照により行われる。図６にテーブルに格納される特性の例を示す。横軸は輝度レベルの入力で、縦軸は濃度レベルの出力である。
【００３３】
次にプリンタ部のマスキング処理を行い、標準色空間の画像信号をインクジェットプリンタ１０６の色の特性に合わせる為マスキング処理を行う（ステップＳ２０６）。
【００３４】
マスキング処理の演算の方法は、ＣＭＹを入力画像値とし、Ｃ′Ｍ′Ｙ′を出力画像値とした場合、次式、すなわち、
【外４】
2004289232.tif 000006
【００３５】
により行われる。
【００３６】
さらにインクジェットプリンタ１０６の特性に合わせる為、ＣＭＹの各色毎にテーブル参照により濃度補正処理を行う（ステップＳ２０７）。図７にテーブルに格納される特性の例を示す。横軸は入力レベルで縦軸が出力レベルである。
【００３７】
次にＣＭＹの多値信号をインクジェットプリンタ１０６から出力するために誤差拡散法により２値信号に変換する（ステップＳ２０８）。
【００３８】
最後に２値化したＣＭＹの信号をインクジェットプリンタ１０６から出力して本カラー画像処理装置によるカラー複写動作を終了する。
【００３９】
また、ステップＳ２００で変倍率の範囲が５０〜２００％の範囲に収まっていない場合は次の様に処理が行われる。
【００４０】
まず画像撮像素子１０１で原稿を走査してアナログ信号を出力する（ステップＳ２１０）。次にＡ／Ｄ変換器１０２でＡ／Ｄ変換処理を行いアナログ信号をディジタル信号に変換する（ステップＳ２１１）。スキャナ部のマスキング処理部に於いて画像撮像素子の特性の色空間の画像データをマスキング処理によりＮＴＳＣのＲＧＢの標準色空間に変換する（ステップＳ２１２）。
【００４１】
マスキング処理の演算の方法は、ＲＧＢを入力画像値とし、Ｒ′Ｇ′Ｂ′を出力画像値とした場合、次式、すなわち、
【外５】
2004289232.tif 000007
【００４２】
により行われる。
【００４３】
次にコンピュータにデータ転送を行う（ステップＳ２１３）。
【００４４】
コンピュータではソフトウェア処理により変倍処理を行う（ステップＳ２１４）。任意倍率の変倍が可能である。
【００４５】
変倍処理された画像データはコンピュータから本体にデータ転送される（ステップＳ２１５）。
【００４６】
コンピュータより受け取った画像データはＲＧＢの輝度信号からＣＭＹの濃度信号への変換を行う（ステップＳ２０５）。輝度濃度変換は色毎にテーブル参照により行われる。
【００４７】
図６にテーブルに格納される特性の例を示す。横軸は輝度レベルの入力で、縦軸は濃度レベルの出力である。
【００４８】
次にプリンタ部のマスキング処理を行い、標準色空間の画像信号をインクジェットプリンタ１０６の色の特性に合わせる為マスキング処理を行う（ステップＳ２０６）。
【００４９】
マスキング処理の演算の方法は、ＣＭＹを入力画像値とし、Ｃ′Ｍ′Ｙ′を出力画像値とした場合、次式、すなわち、
【外６】
2004289232.tif 000008
【００５０】
により行われる。
【００５１】
さらにインクジェットプリンタ１０６の特性に合わせる為、ＣＭＹの各色毎にテーブル参照により濃度補正処理を行う（ステップＳ２０７）。図７にテーブルに格納される特性の例を示す。横軸は入力レベルで縦軸が出力レベルである。
【００５２】
次にＣＭＹの多値信号をインクジェットプリンタ１０６から出力するために誤差拡散法により２値信号に変換する（ステップＳ２０８）。
【００５３】
最後に２値化したＣＭＹの信号をインクジェットプリンタ１０６から出力して本カラー画像処理装置によるカラー複写動作を終了する。
【００５４】
スキャナ動作について説明する。
【００５５】
図３は、スキャナ動作の手順を示すフローチャートである。
【００５６】
まず画像撮像素子１０１で原稿を走査してアナログ信号を出力する（ステップＳ３０１）。次にＡ／Ｄ変換器１０２でＡ／Ｄ変換処理を行いアナログ信号をディジタル信号に変換する（ステップＳ３０２）。スキャナ部のマスキング処理部に於いて画像撮像素子の特性の色空間の画像データをマスキング処理によりＮＴＳＣの標準色空間に変換する（ステップＳ３０３）。マスキング処理の方法は複写動作の場合と同様である。
【００５７】
スキャナの解像度からコンピュータにより指示された解像度に変倍処理する（ステップＳ３０４）。変倍処理の方法は複写動作の場合と同様である。
【００５８】
最後にインターフェース部１１０を介してコンピュータに画像データを出力してスキャナ動作を終了する。インターフェースはＢｉ−Ｃｅｎｔｒｏ、ＲＳ２３２Ｃ、ＳＣＳＩ等のインターフェースを用いるが、他のインターフェースに於いても本発明が適用されることは言うまでもない。
【００５９】
プリンタ動作について説明する。
【００６０】
図４は、プリンタ動作の手順を示すフローチャートである。
【００６１】
まず、コンピュータから入力されるＲＧＢ形式の画像データをインターフェース部１１０を介して受け取り画像メモリ１０５に格納する（ステップＳ４０１）。次にＣＰＵ１０７で画像メモリに格納されたＲＧＢの画像データに対して輝度濃度変換処理を行う（ステップＳ４０２）。輝度濃度変換方法は複写動作の場合と同様である。次に標準の色空間の画像データをインクジェットプリンタ１０６の特性に合わせるため、マスキング処理を行う（ステップＳ４０３）。マスキング処理の方法は複写動作の場合と同様である。さらにインクジェットプリンタ１０６の特性に合わせるため、ＣＭＹの各色毎にテーブル参照により濃度補正処理を行う（ステップＳ４０４）。濃度補正処理の方法は複写動作の場合と同様である。次にコンピュータから入力された画像データの解像度からプリンタの解像度に合うように変倍処理を行う（ステップＳ４０５）。変倍の方法は複写動作の場合と同様に線形補間法を用いる。次にＣＭＹの多値信号をインクジェットプリンタ１０６から出力するために誤差拡散法により２値信号に変換する（ステップＳ４０６）。最後にインクジェットプリンタ１０６から画像データをプリント出力してプリンタ動作を終了する。
【００６２】
以上の説明に於いて、マスキング処理は１次元のマスキング演算で行う例で説明したが、２次元或いは更に高次のマスキング演算によれば更に精度の高い処理が可能となる。また、変倍の処理法として線形補間法による例で説明したが、ＳＰＣ法で簡略化することも可能であるし、他の変倍法を用いることも可能である。
【００６３】
【発明の効果】
コンピュータと接続することにより、変倍処理部の処理可能な変倍範囲よりも広い範囲での変倍処理が可能となる。
【図面の簡単な説明】
【図１】本発明を実施したカラー画像処理装置の例を示す図。
【図２】本発明を実施したカラー画像処理装置によるカラー複写動作の手順を示すフローチャート。
【図３】本発明を実施したカラー画像処理装置によるスキャン動作の手順を示すフローチャート。
【図４】本発明を実施したカラー画像処理装置によるプリンタ動作の手順を示すフローチャート。
【図５】線形補間法に於ける変換前の画素と変換後の画素との関係を示す図。
【図６】輝度濃度変換のテーブルの特性の例を示す図。
【図７】濃度補正処理のテーブルの特性の例を示す図。
【図８】従来のカラー画像処理装置の例を示す図。
【図９】従来のカラー画像処理装置によるカラー複写動作の手順を示すフローチャート。
【符号の説明】
１０１  画像撮像素子
１０２  Ａ／Ｄ変換器
１０３  マスキング処理部
１０４  変倍処理部
１０５  画像メモリ
１０６  インクジェットプリンタ
１０７  ＣＰＵ
１０８  ＲＡＭ
１０９  ＲＯＭ
１１０  インターフェース部
【図１】
2004289232.tif 000009
【図２】
2004289232.tif 000010
【図３】
2004289232.tif 000011
【図４】
2004289232.tif 000012
【図５】
2004289232.tif 000013
【図６】
2004289232.tif 000014
【図７】
2004289232.tif 000015
【図８】
2004289232.tif 000016
【図９】
2004289232.tif 000017